(57)【要約】【課題】冷却ファンにおいてブレードの従来仕事をしていない部位で風流れを発生させて高圧力損失状態でも風量増加・小型軽量化の効果が得られ、余分な騒音も発生させないこと。【解決手段】略円筒状のボス部２と、ボス部２から外方向に延出した複数枚からなるブレード３とを具備する冷却ファン１であって、ブレード３のボス部２への接続部分３ａには冷却ファン１の回転方向に対して後退するスキュー角（約３０度）が設けられており、接続部分３ａに続くブレード先端にかけての部分３ｂには逆に回転方向に対して前進するスキュー角（約８度）が設けられている。【選択図】図２
2010053872.tif 000002
【特許請求の範囲】
【請求項１】
金属からなるリング状のスペーサと、前記スペーサと一体にインサート成形されるプラスティック製の略円筒状のボス部及び前記ボス部から外方向に延出した複数枚からなるブレード及び前記ブレードの根元部に放射方向に配設した１以上の補強リブとを具備する冷却ファンであって、
前記ブレードの根元部は、回転方向に対して強制的に風が遠心後方に流れるように後退するスキュー角を設け、中間から先端に向けてはスキュー角をゼロまたは前記回転方向に対して前進するスキュー角を設定したことを特徴とする冷却ファン。
【請求項２】
前記ブレードの根元部の前記回転方向に対して後退するスキュー角を設ける範囲は、前記ブレードの根元から前記ブレード全長の１０％〜４０％までの範囲内としたことを特徴とする請求項１に記載の冷却ファン。
【請求項３】
前記ブレードの根元部に設けられる前記回転方向に対して後退するスキュー角は、１５度〜３５度の範囲内であることを特徴とする請求項１または請求項２に記載の冷却ファン。
【請求項４】
前記ブレードの先端側に設けられる回転方向に対して前進するスキュー角は、０度〜２０度の範囲内であることを特徴とする請求項１乃至請求項３のいずれか１つに記載の冷却ファン。
【発明の詳細な説明】
【技術分野】
【０００１】
本発明は、自動車用を始め、家庭用電化製品或いは業務用電化製品等で使用される冷却ファンに関するもので、特に、冷却能力の向上と小型軽量化を可能とする冷却ファンに関するものである。
【背景技術】
【０００２】
自動車用を始め、家庭用電化製品或いは業務用電化製品等で使用される冷却ファンにおいては、従来から、冷却性能の向上と小型軽量化が要求されてきた。自動車用冷却ファンを例に取ると、エンジンの大排気量化による冷却能力の向上と、搭載スペースの縮小及び燃費向上の観点から小型軽量化とが要求されている。自動車用冷却ファンにおいて冷却能力の向上を図るには、冷却ファンの後方に空気の流れを阻害するエンジンが配置されているので、空気を効率的に流通させるためには空気を斜流方向に流す必要があるが、従来の軸流ファンにおいてこのような斜流効果を得るためにはボス部に対するブレード（翼）の取付け角を増大させる必要があり、その結果回転トルクが増大し、ファン効率が低下するという問題があった。
【０００３】
そこで、特許文献１に記載の発明においては、ブレードの取付け角を増大させることなく空気を斜流方向に流すことによって冷却能力の向上を図るため、ブレード先端にかけてファン回転方向に対して後退するスキュー角をブレードに持たせている。
【先行技術文献】
【特許文献】
【０００４】
【特許文献１】特開平３−８９０００号公報
【発明の概要】
【発明が解決しようとする課題】
【０００５】
しかしながら、自動車用冷却ファンにおける風流れの特徴として走行していない（迎風ゼロの）状態ではエンジンブロックに向かう完全な軸方向への流れは考えられず、むしろ斜流となっており、上記特許文献１に具体的効果の記述がないように期待される効果は得られないと考えられる。即ち、従来の自動車のように冷却ファン前方が低圧力損失であれば、上記特許文献１に記されているようにエンジンブロックへの流れが強く斜流ファンの効果があると考えられるが、現在の自動車においては高圧力損失状態となっており冷却ファン周辺の圧力や冷却ファン回転による遠心成分から軸流になり難くなっているためである。さらに、高圧力損失状態での斜流化は冷却ファンを囲むシュラウドへの流れが強くなり、騒音発生の要因となる可能性もある。
また、走行状態では迎風が大きくなるにしたがいエンジンブロックへの流れが強くなるが、迎風による風量が大きいため、斜流化による風量増加の必要性には疑問がある。
【０００６】
そこで、本発明は、ブレードの従来仕事をしていない（または性能を悪化させる）部位によって風流れを発生させることによって高圧力損失状態でも風量増加及び小型軽量化の効果が期待でき、余分な騒音も発生させることがない冷却ファンの提供を課題とするものである。
【課題を解決するための手段】
【０００７】
請求項１の発明にかかる冷却ファンは、金属からなるリング状の外周に深絞り加工を施したスペーサと、前記スペーサと一体にインサート成形されるプラスティック製の略円筒状のボス部と、前記ボス部から外方向に延出した複数枚からなるブレードと、前記ブレードの根元部に放射方向に配設した１以上の補強リブとを具備する冷却ファンであって、前記ブレードの根元部は回転方向に対して強制的に風が遠心後方に流れるように後退するスキュー角を設け、中間から先端に向けてはスキュー角をゼロまたは前記回転方向に対して前進するように前進するスキュー角を設定したものである。そして、前記ブレードの根元部に放射方向に１以上の補強リブを設けたものである。
【０００８】
請求項２の発明にかかる冷却ファンは、請求項１の構成において、前記ブレードの根元部の前記後退するスキュー角を設ける範囲は前記ブレードの根元から前記ブレード全長の１０％まで〜４０％までの範囲内としたものである。
【０００９】
請求項３の発明にかかる冷却ファンは、請求項１または請求項２のいずれか１つの構成において、前記ブレードの根元部に設けられる前記回転方向に対して後退するスキュー角は１５度〜３５度の範囲内としたものである。
【００１０】
請求項４の発明にかかる冷却ファンは、請求項１乃至請求項３のいずれか１つの構成において、前記ブレードの先端側に設けられる前記回転方向に対して前進するスキュー角は０度〜２０度の範囲内としたものである。
【発明の効果】
【００１１】
請求項１の発明にかかる冷却ファンは、略円筒状のボス部と、ボス部から外方向に延出した複数枚からなるブレードとを具備する冷却ファンであって、ブレードの根元部は回転方向に対して後退するスキュー角を設け、中間から先端に向けてはスキュー角をゼロまたは回転方向に対して前進するように設定したものである。
【００１２】
この発明の効果を、従来の冷却ファンの特性を示す図６及び図７と比較して説明する。図６は従来の冷却ファンのブレードにおける負圧側（吸い込み側）の風流れを測定した図である。図７は従来の冷却ファンの正圧側（吹き出し側）における圧力分布を測定した図である。
【００１３】
図６に示されるように、従来の根元部にスキュー角が設けられていないブレード１３の負圧側の風流れを見ると、本来先端側の風流れを示す小さい矢印１３ｂのように、ブレード１３の上辺を乗り越えて下方先端に向かう流れが好ましいが、ブレード１３の根元部分においては小さい矢印１３ａが示すように、逆に上方に向かう風流れが渦を巻いており、大きい４本の矢印１３ｃで示される流れの向きを邪魔する好ましくない流れとなっている。
【００１４】
また、図７に示されるように、この図では赤色（橙色）に近い部分ほど圧力が高く、青色に近い部分ほど圧力が低いのであるが、従来の冷却ファン１１においてはブレード１３の先端部分が橙色で最も圧力が高く、根元に近づくにしたがって黄色・緑色・水色とだんだん圧力が低くなり、ボス部１２においては青色でほぼ大気圧に近い。
【００１５】
このように、風を発生させるのに殆ど役立っておらず、むしろ負圧側では好ましい風流れの邪魔をするブレードの根元部に、回転方向に対して後退するスキュー角を設けることによって、冷却ファンを回転させるとブレードの根元部に強制的に風が遠心後方に流れる。これによって、冷却ファンの正圧側では風を起こすのに役立つようになり、負圧側でも好ましい風流れが起こるようになって、冷却ファンの回転により発生する風量が増加する。また、ブレード長さを減少させて小型化しても従来の冷却ファン１１と同等以上の風量を得ることができ、小型軽量化が可能となる。
【００１６】
更に、金属からなるリング状の外周に深絞り加工を施したスペーサと、スペーサと一体にインサート成形されるプラスティック製の略円筒状のボス部と、ボス部から外方向に延出した複数枚からなるブレードとを具備する冷却ファンは強度的に優れており、軽量化が可能である。また、ブレードの根元部に回転方向に対して後退するスキュー角を設けることによって、冷却ファンの正圧側では風を起こすのに役立つようになり、負圧側でも好ましい風流れが起こるようになって、冷却ファンの回転により発生する風量が増加する。さらに、ブレード長さを減少させて小型化しても従来の冷却ファンと同等以上の風量を得ることができ、小型軽量化が可能となる。
【００１７】
加えて、各ブレードの根元部に放射方向に１または２以上の補強リブを設けたものである。ブレードのボス部との接続部即ちブレードの根元部を補強するためには、通常はブレードの根元部からボス部にかけてＲを付けるのであるが、本発明にかかる冷却ファンはブレードの根元部に後退するスキュー角を設けているため、このようにＲを付けるとブレードの根元部が著しく厚くなってしまい、軽量化の要請に反することとなる。そこで、Ｒを付ける代わりに各ブレードの根元部に放射方向に１または２以上の補強リブを設けることによって、冷却ファンの重量を殆ど増すことなくブレードの根元部を補強することができる。
このようにして、強度的に優れていて軽量化が可能であり、ブレードの従来仕事をしていない部位によって風流れを発生させることによって高圧力損失状態でも風量増加及び小型軽量化の効果が期待でき、余分な騒音も発生させることがない冷却ファンとなる。
【００１８】
請求項２の発明にかかる冷却ファンは、ブレードの根元部の後退するスキュー角を設ける範囲はブレードの根元からブレード全長の１０％まで〜４０％までの範囲内としたものである。この範囲内としたのは、図６及び図７について説明したように、ボス部周辺の低い圧力によって、ブレード上の風流れが好ましくない方向へ影響を受ける範囲だからである。
【００１９】
請求項３の発明にかかる冷却ファンにおいては、ブレードの根元部に設けられる回転方向に対して後退するスキュー角は１５度〜３５度の範囲内である。これは、１５度未満では後退するスキュー角が小さ過ぎて風量増加の効果が余り表れず、また、３５度を超えると後退させる領域を大きくしないと回転による強制的な風流れを発生させることが難しくなるためである。したがって、回転方向に対して後退するスキュー角を１５度〜３５度の範囲内とすることによって、ブレードの根元から適切な領域までを後退させることによって回転による強制的な風流れを発生させることができ、風量増加の効果が確実に得られる。
【００２０】
請求項４の発明にかかる冷却ファンにおいては、ブレードの先端側に設けられる回転方向に対して前進するスキュー角が０度〜２０度の範囲内である。即ち、ブレードの先端側においては、スキュー角はゼロでも良いし、前進するスキュー角を設ける場合は、２０度以下が好ましい。本発明者は鋭意実験研究の結果、前進するスキュー角が０度〜約２０度の範囲内である場合に、最も大きい風量増加の効果が得られることを見出し、この知見に基いて本発明を完成したものである。
【図面の簡単な説明】
【００２１】
【図１】図１は本発明の実施の形態にかかる冷却ファンの全体構成を示す平面図である。
【図２】図２は本発明の実施の形態にかかる冷却ファンのブレードの１枚を負圧側から見て示す部分拡大図である。
【図３】図３は本発明の実施の形態にかかる冷却ファンのブレードの１枚を正圧側から見て示す部分拡大図である。
【図４】図４は本発明の実施の形態にかかる冷却ファンの風量特性を従来品と比較して示す図である。
【図５】図５は本発明の実施の形態にかかる冷却ファンの騒音特性を従来品と比較して示す図である。
【図６】図６は従来の冷却ファンのブレードにおける負圧側（吹き出し側）の風流れを測定した図である。
【図７】図７は従来の冷却ファンの正圧側（吸い込み側）における圧力分布を測定した図である。
【発明を実施するための形態】
【００２２】
以下、本発明の実施の形態について、図１乃至図５を参照して説明する。図１は本発明の実施の形態にかかる冷却ファンの全体構成を示す平面図である。図２は本発明の実施の形態にかかる冷却ファンのブレードの１枚を負圧側から見て示す部分拡大図である。図３は本発明の実施の形態にかかる冷却ファンのブレードの１枚を正圧側から見て示す部分拡大図である。図４は本発明の実施の形態にかかる冷却ファンの風量特性を従来品と比較して示す図である。図５は本発明の実施の形態にかかる冷却ファンの騒音特性を従来品と比較して示す図である。
【００２３】
図１に示されるように、本実施の形態の冷却ファン１は、４箇所に取付け穴の設けられた金属製のリング状のスペーサ４と、このスペーサ４と一体にインサート成形されるプラスティック製の円筒形のボス部２と、ボス部２から外方向に延出した７枚のブレード３から構成されている。本実施の形態の形態においては、プラスティックとしてナイロンを用いている。また、各ブレード３の根元部にはボス部２の外周から伸びる長さの異なる２本の補強リブ５が設けられている。図において手前側がブレード前縁側（空気の入る側）である。
【００２４】
次に、ブレード３のボス部２外周への接続構造について、図２及び図３を参照して説明する。図２に示されるように、負圧側から見ると、ブレード３のボス部２への接続部分（ブレードの根元部）３ａには冷却ファン１の回転方向に対して後退するスキュー角（約３０度）が設けられており、接続部分３ａに続くブレード先端にかけての部分３ｂには逆に回転方向に対して前進するスキュー角（約８度）が設けられている。図３は正圧側から見たところであり、やはりブレード３のボス部２への接続部分（ブレードの根元部）３ａには冷却ファン１の回転方向に対して後退するスキュー角（約３０度）が設けられており、接続部分３ａに続くブレード先端にかけての部分３ｂには逆に回転方向に対して前進するスキュー角（約８度）が設けられている。前記後退するスキュー角が設けられている部分３ａの長さは、ブレード３の全長に対して約１３％である。
【００２５】
かかる構造を有する本実施の形態にかかる冷却ファン１について、構造がほぼ同様な従来の冷却ファンと比較して、風量特性及び騒音特性を試験した。従来の冷却ファンも金属製のリング状のスペーサと、このスペーサと一体にインサート成形されるナイロン製の７枚のブレードと、ブレードが外周に接続される円筒形のボス部から構成されている。そして、大きさは外径寸法がφ４９０ｍｍ、ボス部寸法がφ１９２ｍｍ、ブレード長さが１４９ｍｍである。これに対して、本実施の形態にかかる冷却ファン１の大きさは、外径寸法がφ４９０ｍｍと同じで、ボス部２の寸法がφ２１２ｍｍ、ブレード３の長さが１３９ｍｍである。
【００２６】
測定条件としては、風量特性については、静定槽を測定装置として用いて、「ＪＩＳ  Ｂ８３３０−８１」の測定方法に準じて、ファン回転数１０００ｒｐｍ，２０００ｒｐｍの２水準について測定した。また、騒音特性については、ファン回転数を１０００ｒｐｍから３０００ｒｐｍまで５００ｒｐｍずつ変化させて、ファンの前方１ｍにおける音圧レベルを騒音計によって測定した。
【００２７】
測定試験の結果、圧力線図（風量特性）は図４に示されるように、本実施の形態にかかる冷却ファン１は、ブレード３の長さが１０ｍｍも短くなったにも関わらず、ファン回転数１０００ｒｐｍ，２０００ｒｐｍの２水準のいずれにおいても従来品と同等の風量特性を示している。また、騒音特性に関しては、図５に示されるように、同等というよりはむしろ従来品より低減しており、低騒音効果も有することが確認できた。今回の比較試験では、外径寸法を同じにしてボス部寸法を大きくして試験したが、ボス部寸法が同じ場合、外径（即ちブレード長さ）を減少させたり、またブレード幅を減少させても同等以上の風量が得られると考えられる。
【００２８】
このようにして、本実施の形態にかかる冷却ファン１においては、ブレード３の従来仕事をしていない部位によって風流れを発生させることによって高圧力損失状態でも風量増加及び小型軽量化の効果が期待でき、余分な騒音も発生させることがない。
【００２９】
本実施の形態においては、金属製のリング状のスペーサ４と、このスペーサ４と一体にインサート成形されるプラスティック製の７枚のブレード３と、ブレード３が外周に接続される円筒形のボス部２から構成された冷却ファン１について説明したが、このタイプの冷却ファン以外にも、合成樹脂部と金属スペーサをブッシュでかしめた冷却ファンや、全て金属（鉄またはマグネシウム）製の冷却ファン等の、他のタイプの冷却ファンにも本発明を適用することができる。
【００３０】
また、本実施の形態においては、プラスティック（ボス部２及びブレード３）としてナイロン樹脂を用いているが、これに限られるものではなく、樹脂ファンに一般に使用されるポリプロピレンを始めとして、他のプラスティック（熱可塑性樹脂に限られず、熱硬化性樹脂も含んだ広い概念としてのプラスティック）をも用いることができる。
【００３１】
さらに、本実施の形態においては、ブレード（翼）３の枚数を７枚としているが、これに限られるものではない。
【００３２】
冷却ファンのその他の部分の構成、形状、数量、材質、大きさ、接続関係等についても、本実施の形態に限定されるものではない。
【符号の説明】
【００３３】
１     冷却ファン
２     ボス部
３     ブレード
４     スペーサ
５     補強リブ
【図１】
2010053872.tif 000003
【図２】
2010053872.tif 000004
【図３】
2010053872.tif 000005
【図４】
2010053872.tif 000006
【図５】
2010053872.tif 000007
【図６】
2010053872.tif 000008
【図７】
2010053872.tif 000009